(57)【特許請求の範囲】
【請求項１】
横長の開口部に複数種類のランプを装着できるようランプ装着部の形状を変更し得るようにした自動車用バンパカバーであって、
上記開口部の所定部位にリブ材を設けることで第１のランプを装着する第１のランプ装着部が画成されると共に、該リブ材に横バー材が結合され、
上記リブ材及び横バー材の一部を切除することで上記開口部に第２のランプを装着する第２のランプ装着部が画成されるようにした、上記バンパカバーにおいて、
上記切除された横バー材の端部付近において、上記開口部周縁の上下のリブにリテーナ取付用の取付穴が形成され、
さらに、上記取付穴に嵌合する係合部を上下両端に形成した上記第２のランプ装着用のリテーナを備えており、
上記係合部をそれぞれ上記取付穴に嵌合して、リテーナを上下のリブ間に取り付けることで第２のランプを装着するようにしたことを特徴とする、自動車用バンパカバー。
【請求項２】
前記リテーナは弾性変形可能であることを特徴とする、請求項１に記載の自動車用バンパカバー。
【請求項３】
前記横バー材の端部を挟持するようにホールカバーを被着することで前記横バー材を固定することを特徴とする、請求項１に記載の自動車用バンパカバー。
【請求項４】
前記ホールカバーの端部には上下の爪部が形成され、該爪部が前記上下のリブに係合することを特徴とする、請求項３に記載の自動車用バンパカバー。
【発明の詳細な説明】
【０００１】
【発明の属する技術分野】
本発明は、乗用車等の車両におけるフロントバンパカバーに関する。
【０００２】
【従来の技術】
乗用車等においてボディ前端部の所定部位にバンパリインフォースを介してフロントバンパカバーが取り付けられる。このフロントバンパカバーは近年では、樹脂成形により形成されるものが多く、また車種等に応じて種々のランプ類等が装着されるようになっている。
【０００３】
この種のフロントバンパにおいて、フロントバンパカバーの所定部位にランプ装着部が設定されるが、その場合、複数種類のランプを装着することができるようランプ装着部の形状を変更し得るように構成されたものがある。つまり成形時の成形用金型を増やさずに、意匠外形の異なる複数仕様のランプに対応しようとするものである。
【０００４】
図７および図８は、そのような従来のフロントバンパカバーの要部構成例を示している。図において、フロントバンパカバー１の下部付近に横長の開口部２が開設され、この開口部２の所定部位にランプ装着部（第１のランプ装着部）３を有している。この第１のランプ装着部３を画成するためにリブ材４が設けられると共に、リブ材４には横バー材５が結合している。第１のランプ装着部３には、第１のランプ１０が装着される（図８（Ａ）参照）。なお、この例では後述するように第２のランプ２０を装着する際に必要となる壁材６が付設される。
【０００５】
図９および図１０は、フロントバンパカバー１における第２の仕様として、第１のランプ１０とは意匠外形の異なる第２のランプ２０が装着される場合を示している。この例ではリブ材４および横バー材５の一部を切除することにより、第２のランプ２０を装着するための第２のランプ装着部７が画成される。つまり、この場合、図７に示すように壁材６をそのまま残すかたちで、斜線で示す切除領域Ｃをカットすることにより、図９のような第２のランプ装着部７を設定するものである。
【０００６】
第２のランプ装着部７には、第２のランプ２０を装着後その外側にホールカバー２１が被着する。ホールカバー２１は、クリップ２２等の締結手段によって壁材６に固定される。この例のように、フロントバンパカバー１の所定部分を切除することで、２種類のランプ１０および２０を装着可能としている。
【０００７】
【発明が解決しようとする課題】
従来のフロントバンパカバー１において、開口部２まわりの剛性を確保するため、あるいはホールカバー２１を取付固定するために特に壁材６を必要とする。しかしながら壁材６を設けると、特に第１のランプ１０の装着時には図７からも分かるように、開口部２において壁材６が丸見えとなり、必ずしも良好な見栄えを得ることができなかった。また、その対策として適宜のマスク塗装等を施す場合には、却ってコストが高くついてしまう等の問題がある。
【０００８】
本発明は以上の点に鑑み、良好な見栄えが得られ、しかも安価に複数仕様に対応し得る自動車用バンパカバーを提供することを目的とする。
【０００９】
【課題を解決するための手段】
請求項１に記載の自動車用バンパカバーは、横長の開口部に複数種類のランプを装着できるようランプ装着部の形状を変更し得るようにした自動車用バンパカバーであって、開口部の所定部位にリブ材を設けることで第１のランプを装着する第１のランプ装着部を画成すると共に、該リブ材に横バー材を結合し、上記リブ材及び横バー材の一部を切除することで上記開口部に第２のランプを装着する第２のランプ装着部を画成するようにした、上記バンパカバーにおいて、上記切除された横バー材の端部付近において、上記開口部周縁の上下のリブにリテーナ取付用の取付穴を形成し、さらに、上記取付穴に嵌合する係合部を上下両端に形成した上記第２のランプ装着用のリテーナを備えており、上記係合部をそれぞれ上記取付穴に嵌合して、リテーナを上下のリブ間に取り付けることで第２のランプを装着するようにしたことを特徴とする。
【００１０】
請求項２に記載の自動車用バンパカバーでは、前記リテーナは弾性変形可能であることを特徴とする。
請求項３に記載の自動車用バンパカバーでは、前記横バー材の端部を挟持するようにホールカバーを被着することで、前記横バー材を固定することを特徴とする。
請求項４に記載の自動車用バンパカバーでは、前記ホールカバーの端部に上下の爪部を形成し、該爪部を前記上下のリブに係合することを特徴とする。
【００１１】
本発明によれば、第１のランプを装着するための第１のランプ装着部を画成するリブ材とこのリブ材に結合する横バー材とを有しており、第１のランプは第１のランプ装着部に適正に装着される。また、リブ材および横バー材の一部を切除することにより、第２のランプを装着するための第２のランプ装着部が画成される。その際、開口部周縁の上下リブのそれぞれに第２のランプを装着するためのリテーナ取付用の取付穴が形成されるのみであり、極めて簡素な構成となっている。第２のランプはリテーナを介して第２のランプ装着部に適正に装着される。リテーナを設けることにより、簡単な構成でありながら開口部まわりの必要かつ十分な剛性を確保することができる。
【００１２】
【発明の実施の形態】
以下、図１〜図６に基づき、従来例と実質的に同一または対応する部材には同一符号を用いて、本発明による自動車用バンパカバーの好適な実施の形態を説明する。
【００１３】
図１は、本発明に係るフロントバンパカバー１の要部構成例を示している。この実施形態において、フロントバンパカバー１の下部付近に横長の開口部２が開設され、この開口部２の所定部位に第１のランプ装着部３を有している。この第１のランプ装着部３を画成するためにリブ材４が設けられると共に、リブ材４には横バー材５が結合している。第１のランプ装着部３には、第１のランプ１０が装着される。
【００１４】
また、リブ材４および横バー材５の一部、すなわち既に図７に示した切除領域Ｃと実質的に同一領域を切除することにより、第２のランプ２０を装着するための第２のランプ装着部７が設定される（図３）。
【００１５】
この例では図２に示すように、開口部２周縁の上下のリブ２ａのそれぞれに第２のランプ２０を装着するための、後述するリテーナ９の取付用の取付穴８が形成される。ここで、取付穴８の形成位置は、前述した壁材６（図７、図９参照）の位置にほぼ対応している。この位置は図３に示されるように、第２のランプ装着部７を設定するために切除された横バー材５の端部付近となっている。
【００１６】
リテーナ９は、図４に示すように薄板材（薄鋼板もしくはプラスチック板等）で成り、弾性変形可能である。リテーナ９はまた、上下両端に取付穴８に嵌合する係合部９ａを有し、中央部がほぼ平坦に形成されている。このリテーナ９の平坦部で、後述のように横バー材５の端部付近を支持し得るようになっている。
【００１７】
ホールカバー２１の基本的構成は従来のものと実質的に同様であり、第２のランプ装着部７にて第２のランプ２０を装着後その外側に被着する。特にこの例では、図５に示すように端部に上下２つの爪部２１ａを有している。これらの爪部２１ａは上下リブ２ａの端末部に係合するように配置構成されている。
【００１８】
上記構成において、第１のランプ装着部３に第１のランプ１０が装着される。この第１の仕様のランプ１０が装着される場合、図１からも明らかなように開口部２内には従来のような壁材６が設けられていない。これにより開口部２まわりは極めてすっきりとした外観を呈し、良好な見栄えを確保することができる。
【００１９】
また、第２の仕様として、第１のランプ１０とは意匠外形の異なる第２のランプ２０が装着される場合、第２のランプ２０は第２のランプ装着部７（図３）に装着される。この場合、リテーナ９を使用して開口部２の内側に取り付けるが、まず図６（Ａ）のように上側の係合部９ａを上側の取付穴８に嵌合させる。つぎに、図６（Ｂ）のように下側の係合部９ａを下側の取付穴８に嵌合させる。このとき開口部２の下側のリブ２ａを適度に撓ませながら（図６（Ｂ）の矢印参照）、下側の係合部９ａを嵌合させることで、リテーナ９は弾発的に係合する。
【００２０】
そして、第２のランプ２０を第２のランプ装着部７に装着後、その外側にホールカバー２１が被着する。このときホールカバー２１の上下の爪部２１ａは、図６（Ｃ）のように上下リブ２ａの端末部に係合する。また、ホールカバー２１が横バー材５の切除した端部を挟持するように被着することで、横バー材５をぐらつかずに、特に上下方向をしっかりと固定することができる。リテーナ９の平坦部で横バー材５の端部付近を支持し、このように横バー材５および開口部２まわりの剛性を確保しながら、第２のランプ２０を含むランプユニットを適正かつ的確に装着することができる。
【００２１】
【発明の効果】
以上説明したように本発明によれば、この種のフロントバンパにおいて、意匠外形の異なる複数仕様のランプを適正かつ的確に装着することができ、その場合良好な見栄えを確保し、しかも開口部まわりの高い剛性を維持する。また、特に第２の仕様に比べて第１の仕様の比率が大きい場合には、見栄えの向上を図ると共にマスク等にかかる費用の点でコスト的に極めて有利である。
【図面の簡単な説明】
【図１】本発明による自動車用バンパカバーの実施形態における要部構成を示す図である。
【図２】図１のＤ−Ｄ線に沿う断面図である。
【図３】本発明による自動車用バンパカバーの実施形態における第２のランプ装着部まわりを示す図である。
【図４】本発明に係るリテーナの正面図および側面図である。
【図５】本発明に係るホールカバーの正面図および側面図である。
【図６】本発明による自動車用バンパカバーの実施形態における第２のランプ装着時の工程を順に示す図である。
【図７】従来のバンパカバーの要部構成を示す図である。
【図８】図７のＡ−Ａ線に沿う断面図およびＢ−Ｂ線に沿う断面図である。
【図９】従来のバンパカバーにおける第２のランプ装着部まわりを示す図である。
【図１０】図９のＡ′−Ａ′線に沿う断面図である。
【符号の説明】
１      フロントバンパカバー
２      開口部
３      第１のランプ装着部
４      リブ材
５      横バー材
７      第２のランプ装着部
８      取付穴
９      リテーナ
１０    第１のランプ
２０    第２のランプ
【図１】
0003706930.tif 000002
【図２】
0003706930.tif 000003
【図３】
0003706930.tif 000004
【図４】
0003706930.tif 000005
【図５】
0003706930.tif 000006
【図６】
0003706930.tif 000007
【図７】
0003706930.tif 000008
【図８】
0003706930.tif 000009
【図９】
0003706930.tif 000010
【図１０】
0003706930.tif 000011